(57)【要約】【課題】  給紙作動時の騒音の低い、電子写真方式による複写機、プリンタ、ファクシミリ等の画像形成装置に使用される給紙装置を提供する。【解決手段】  複数のクラッチ手段の動作タイミングが重なったときに、動作タイミングが重なったクラッチ手段の中で最も給紙カセットに近いローラのクラッチ手段を、一定時間、パルス駆動で動作させる制御手段を有する。【選択図】        図２
2005255354.tif 000002
【特許請求の範囲】
【請求項１】
給紙カセットに収納された転写紙を１枚ずつ搬送する複数のローラと、
前記複数のローラを駆動する給紙モータと、
前記給紙モータからの駆動を前記複数のローラに伝達する複数のクラッチ手段と、
前記複数のクラッチ手段の作動を制御する制御手段とを有し、
前記制御手段は、前記複数のクラッチ手段の動作タイミングが重なったときに、
動作タイミングが重なったクラッチ手段の中で最も給紙カセットに近いローラのクラッチ手段を、一定時間、パルス駆動で動作させるように制御することを特徴とする電子写真方式の画像形成装置の給紙装置。
【請求項２】
前記一定時間は、クラッチ機構の動作開始後２０ｍｓ〜１００ｍｓであることを特徴とする請求項１に記載の給紙装置。
【請求項３】
前記パルス駆動のデューティ比は、２０％〜８０％であることを特徴とする請求項１または２のいずれかに記載の給紙装置。
【請求項４】
前記パルス駆動の周波数は、５０Ｈｚ〜２００Ｈｚであることを特徴とする請求項１〜３のいずれかに記載の給紙装置。
【発明の詳細な説明】
【技術分野】
【０００１】
本発明は電子写真方式による複写機、プリンタ、ファクシミリ等の画像形成装置の給紙装置に関する。
【背景技術】
【０００２】
電子写真方式の画像形成装置では、帯電手段によって感光体表面に一様帯電を行った後に、像露光を行うことによって潜像を形成し、現像手段により感光体表面にトナー像を形成する。一方、転写紙収納手段等から給紙された転写紙を転写位置に送り、前記トナー像を転写紙上に転写した後、定着手段により定着処理して電子写真画像を形成する。
【０００３】
この中で、転写紙収納手段に収納されている転写紙を転写位置まで搬送する搬送系のことを一般に給紙装置と称しており、駆動力源であるモータと、転写紙を搬送する手段としての複数のローラと、各ローラへのモータの駆動力の伝達・非伝達を切り替えるクラッチ手段とが設けられている。これらのクラッチ手段としては、一般に電磁クラッチが使用されている。
【０００４】
ところで、電磁クラッチは作動時に、その構造に起因して衝撃音が発生する。給紙装置では、複数のローラを同時に作動させることがあり、その際には、複数のクラッチ手段が同時に作動するため、衝撃音も倍加して騒音となる。このような騒音は、設置される場所における環境条件を阻害する要因であり、スペースの狭い事務所などでは、作業者の健康を損なう問題として無視することはできない。
【０００５】
画像形成装置の騒音対策としては、例えば、装置全体に遮音用部材を設ける方式や、電磁クラッチ内部に緩衝剤を入れる方法（例えば、特許文献１参照）があるが、これらは、部品数や工程数を増やす結果、製造コストを増加させるものであった。また、このような部品追加を行わずに静音化させる技術として、クラッチの駆動タイミングをずらせて音の発生を分散させたり、クラッチやソレノイドをパルス駆動させる方法があるが、これらの方法は画像形成の高速化を阻害したり、クラッチやソレノイドの力量を低下させることになるため、通紙性能を低下させるものであった。このように、クラッチ手段の作動による騒音対策を行った画像形成装置の登場が待たれていた。
【特許文献１】特開平１１−１９０３６９号公報
【発明の開示】
【発明が解決しようとする課題】
【０００６】
本発明はかかる実情に鑑みてなされたもので、給紙作動時の騒音の低い、電子写真方式による複写機、プリンタ、ファクシミリ等の画像形成装置に使用される給紙装置を提供することを目的とする。
【課題を解決するための手段】
【０００７】
発明者は複数のクラッチ手段を有して、複数のローラの動作、不作動を切り替えて給紙を行う給紙装置において、クラッチ手段を立ち上がりの一定時間、パルス駆動にて動作させることで、クラッチ機構から発生する衝撃音を給紙性能へ影響することなく低減できること、また、複数のクラッチ手段を同時に作動させるときには、給紙経路の上流側のローラを駆動するクラッチ手段を立ち上がりの一定時間をパルス駆動することにより、同時に作動する複数のクラッチ手段が発生する衝撃音を給紙性能への影響することなく低減できることを見出した。
【０００８】
本発明は、特許請求の範囲に記載の下記の構成により達成される。
【０００９】
すなわち、請求項１に記載の発明は、「給紙カセットに収納された転写紙を１枚ずつ搬送する複数のローラと、
前記複数のローラを駆動する給紙モータと、
前記給紙モータからの駆動を前記複数のローラに伝達する複数のクラッチ手段と、
前記複数のクラッチ手段の作動を制御する制御手段とを有し、
前記制御手段は、前記複数のクラッチ手段の動作タイミングが重なったときに、
動作タイミングが重なったクラッチ手段の中で最も給紙カセットに近いローラのクラッチ手段を、一定時間、パルス駆動で動作させるように制御することを特徴とする電子写真方式の画像形成装置の給紙装置。」である。
【００１０】
請求項２に記載の発明は、「前記一定時間は、クラッチ機構の動作開始後２０ｍｓ〜１００ｍｓであることを特徴とする請求項１に記載の給紙装置。」である。
【００１１】
請求項３に記載の発明は、「前記パルス駆動のデューティ比は、２０％〜８０％であることを特徴とする請求項１または２のいずれかに記載の給紙装置。」である。
【００１２】
請求項４に記載の発明は、「前記パルス駆動の周波数は、５０Ｈｚ〜２００Ｈｚであることを特徴とする請求項１〜３のいずれかに記載の給紙装置。」である。
【発明の効果】
【００１３】
本発明の請求項１に記載の発明によれば、給紙装置の複数のクラッチ手段の動作が重なったとき、上流側のクラッチを一定時間、パルス駆動することにより、クラッチ手段動作時の衝撃音の同時発生を回避して騒音を軽減し、かつ、パルス駆動を上流側のクラッチとすることにより、パルス駆動によるクラッチ手段の作動力低下により給紙性能を低下させることのない給紙装置を提供できる。
【００１４】
請求項２に記載の発明によれば、パルス駆動を行う時間をクラッチ手段の動作開始後２０ｍｓ〜１００ｍｓとすることで、給紙性能に影響をあたえずにクラッチ作動のときの衝撃音の同時発生を回避し、騒音を軽減できる。
【００１５】
請求項３に記載の発明によれば、パルス駆動のデューティ比を２０％〜８０％とすることで、給紙性能に影響をあたえずにクラッチ作動のときの衝撃音の同時発生を回避し、騒音を軽減できる。
【００１６】
請求項４に記載の発明によれば、パルス駆動の周波数を５０Ｈｚ〜２００Ｈｚとすることで給紙性能に影響をあたえずにクラッチ作動のときの衝撃音の同時発生を回避し、騒音を軽減できる。
【発明を実施するための最良の形態】
【００１７】
以下、本発明における給紙装置の実施形態の例を、各図を参照しながら説明する。
【００１８】
図１は本発明の一つの例である給紙装置と、その転写紙搬送経路を示す概念図である。
【００１９】
図１において、１００は給紙装置、２００は画像形成部であり、給紙装置１００は、ユーザの操作、あるいは信号入力により給紙カセットに載置された転写紙を１枚ずつ、下流側に位置する画像形成部２００へ搬送する。なお、図１中の太矢印線は給紙モータの駆動力の伝達経路、Ｒは転写紙搬送経路を示す。
【００２０】
図１に示す給紙装置１００は、転写紙を載置する給紙カセット１１１にセットされた転写紙Ｓを１枚ずつ捌き、送り出すための捌きローラ１２１、給紙カセット１１１から送り出された転写紙Ｓをレジストローラ１５１まで搬送するための給紙ローラ１３１、搬送された転写紙Ｓをレジストローラ１５１へ突き当て、紙曲がりを規制するために一定のループを形成するためのループローラ１４１、搬送された転写紙Ｓをドラムとタイミングを合わせて再給紙するためのレジストローラ１５１、給紙モータ１６１、給紙モータからの駆動力を各ローラへ伝達、非伝達を切り替えるクラッチ１２２、１３２、１５２、転写紙Ｓが転写紙搬送経路の所定位置に存在するか否かを検知するための給紙センサ１７１、レジストセンサ１７２、ユーザーの操作情報および複数のセンサからの情報を基に、給紙モータや複数のクラッチを作動、制御する制御手段１８１とから成る。
【００２１】
画像形成部２００は、静電潜像を担持する感光体ドラム２１１、感光体ドラム上の静電潜像をトナーにより可視像にする非図示の現像手段、感光体ドラム上のトナー像を転写紙に転写する非図示の転写、分離手段、から成り、給紙装置１００より搬送されてきた転写紙にトナー像を転写し、下流側に位置する定着部（非図示）に搬送する。
【００２２】
定着部では、画像形成部２００より搬送された転写紙を加熱し、トナー像を溶融、転写紙に固着して排紙する。
【００２３】
以下、給紙装置１００の構成につき詳述する。
【００２４】
図１において給紙カセット１１１は用途に応じた適当な転写紙をセットできる。
【００２５】
捌きローラ１２１は給紙カセット１１１にセットされた転写紙を１枚ずつ転写紙搬送経路に送り出す。捌きローラ１２１は、給紙モータ１６１の駆動力を動力源とし、その駆動力を捌きクラッチ１２２を経由して受けて作動する。捌きクラッチは電磁クラッチであり、電力が供給されたときに給紙モータ１６１の駆動力を捌きローラ１２１に伝達し、電力が供給されないときには駆動力の伝達を行わない。以下、このように、クラッチが、駆動力の伝達状態にある時をＯＮ、あるいはＯＮ状態、駆動力の非伝達状態にある時をＯＦＦ、あるいはＯＦＦ状態と記す場合もある。そして、捌きローラ１２１は、捌きクラッチ１２２がＯＮ状態のときに給紙モータ１６１の駆動力を受けて作動してカセット内の転写紙を送り出し、捌きクラッチ１２２がＯＦＦ状態のときには作動しない。捌きクラッチ１２２のＯＮ、ＯＦＦ状態の切り替えは制御手段１８１の制御によりなされる。制御手段１８１の機能、動作については後述する。
【００２６】
給紙ローラ１３１は捌きローラ１２１により搬送されてきた転写紙Ｓをループローラ１４１を経由して搬送経路下流側に位置するレジストローラ１５１へ搬送する。ループローラ１４１は搬送されてきた転写紙を紙曲がりを規制するためにレジストローラ１５１に突き当て、一定のループを形成する。給紙ローラ１３１およびループローラ１４１は、給紙モータ１６１の駆動力を動力源とし、その駆動力を給紙クラッチ１３２を経由して受けて作動する。給紙クラッチ１３２は電磁クラッチであり、電力が供給されたときに給紙モータ１６１の駆動力を給紙ローラ１２１およびループローラ１４１に伝達するように作動し、電力が供給されないときには駆動力の伝達を行わない。そして、給紙ローラ１２１およびループローラ１４１は、給紙クラッチ１３２がＯＮ状態のときに給紙モータ１６１の駆動力を受けて転写紙Ｓを搬送し、給紙クラッチ１３２がＯＦＦ状態のときは給紙ローラ１２１およびループローラ１４１を作動しない。給紙クラッチ１３２のＯＮ、ＯＦＦ状態の切り替えは制御手段１８１の制御によりなされる。
【００２７】
給紙ローラ１３１およびループローラ１４１は転写紙Ｓをレジストローラ１５１に突き当たるまで搬送し、レジストローラ１５１とループローラ１４１の間で転写紙Ｓにループを形成して停止する。転写紙Ｓにループを形成することにより搬送中に生じた転写紙Ｓの曲がりが補正される。
【００２８】
レジストローラ１５１は、給紙ローラ１３１およびループローラ１４１から搬送されてきた転写紙Ｓをドラム２１１の作動とタイミングを合わせて画像形成部２００へ搬送、再給紙する。レジストローラ１５１は、給紙モータ１６１の駆動力を動力源とし、その駆動力をレジストクラッチ１５２を経由して受けて作動する。レジストクラッチ１５２は電磁クラッチであり、電力が供給されたときに給紙モータ１６１の駆動力をレジストローラ１５１に伝達するように作動し、電力が供給されないときには駆動力の伝達を行わない。そして、レジストローラ１５１は、レジストクラッチ１５２がＯＮ状態のときに給紙モータ１６１の駆動力を受けて転写紙Ｓを搬送し、ＯＦＦ状態のときは作動しない。レジストクラッチ１５２のＯＮ、ＯＦＦ状態の切り替えは制御手段１８１の制御によりなされる。
【００２９】
この、レジストローラ１５１による転写紙Ｓの搬送の開始は、回転するドラムの外周面に担持されているトナー像が転写紙と合致するようなタイミングで行う必要があり、このタイミング選定も制御手段１８１によりなされる。
【００３０】
捌きローラ１２１と給紙ローラ１３１の間の転写紙搬送経路には給紙センサ１７１が配設されており、捌きローラと給紙ローラの間の転写紙搬送経路に転写紙が存在するか否かを光電的に検知し、転写紙が存在する場合にはＯＮ信号を、存在しない場合にはＯＦＦ信号を制御手段１８１に送信する。同様にループローラ１４１とレジストローラ１５１との間の転写紙搬送経路にはレジストセンサ１７２が配設されており、ループローラ１４１とレジストローラ１５１の間の転写紙搬送経路に転写紙Ｓが存在するか否かを光電的に検知し、転写紙が存在する場合にはＯＮ信号を、存在しない場合にはＯＦＦ信号を制御手段１８１に送信する。
【００３１】
図２は、本発明における給紙制御を示すブロック図である。
【００３２】
図２に示すように、制御手段１８１は、コントローラ１８２、タイマ１８３、クラッチドライバ１８４からなり、ユーザ操作による操作信号、上記給紙センサ１７１やレジストセンサ１８１が発信するセンサ信号に基づいて、各ローラを作動させるクラッチに電力を供給し、あるいは遮断してクラッチのＯＮ、ＯＦＦを切り替える。クラッチＯＮ、ＯＦＦ切り替えのタイミング、および、各クラッチをＯＮさせるときにパルス駆動するか通常電力で駆動するかはコントローラ１８２が指令する。
【００３３】
クラッチ手段のパルス駆動は、クラッチＯＮ時の衝撃音を減じ、かつ、パルス駆動によるクラッチ手段の作動力の低下が給紙性能を低下させない条件で実施されなければならない。発明者等は、パルス駆動する時間は、クラッチ手段立ち上がりから２０ｍｓ〜１００ｍｓの間とすること、パルスのデューティ比は２０〜８０％とすること、パルスの周波数は５０Ｈｚ〜２００Ｈｚとすることが、クラッチ手段の作動が給紙性能に影響を与えずにクラッチＯＮのときの衝撃音を緩和して好ましいことを見出した。
【００３４】
本実施例では上記結果に基づいて、クラッチ手段をパルス駆動するにあたり、クラッチ手段ＯＮから１００ｍｓの間はデューティ比６０％、周波数１００Ｈｚのパルス電力を供給し、１００ｍｓ経過後は通常駆動の電力を供給するように設定している。
【００３５】
本実施例におけるパルス駆動の波形を図３に示す。図３に示すように、クラッチ手段には、電力供給開始から１００ｍｓの間はパルス幅６ｍｓ、パルス休止時間４ｍｓのパルス電力が供給され、１００ｍｓ経過後は通常の電力が供給される。この駆動電力はコントローラ１８２の指令に基づき、クラッチドライバ１８４から供給される。
【００３６】
本実施例において、制御手段１８１は、各クラッチを以下のように駆動させる。
【００３７】
レジストローラ１５１を駆動するレジストクラッチ１５２は、パルス駆動させることなく常に通常の電力を供給し作動させる。以下、クラッチ手段をパルス駆動とせずに通常の電力を供給して作動させることを、通常電力で作動、と記することもある。
【００３８】
捌きクラッチ１２２を、レジストクラッチ１５２あるいは給紙クラッチ１３２と同時にＯＮさせるときには、最も給紙カセット１１１に近い捌きローラ１２１を駆動する捌きクラッチ１２２をパルス駆動する。なお、捌きクラッチ１２２を単独で作動させるときには、捌きクラッチ１２２を通常電力で作動させる。
【００３９】
また、給紙クラッチ１３２とレジストクラッチ１５２とを同時に作動させるときには、レジストローラ１５１より給紙カセット１１１に近い給紙ローラ１３１を駆動する給紙クラッチ１３２をパルス駆動する。なお、給紙クラッチ１３２を単独で作動させるときには、給紙クラッチ１３２を通常電力で作動させる。
【００４０】
このような構成とすることにより、複数のクラッチの作動が重なったときには、レジストクラッチ１５２以外のクラッチはパルス駆動されるため、クラッチＯＮ時の衝撃音が緩和され、衝撃音の同時発生が回避され、装置から発生する騒音が軽減する。また、レジストローラ１５１を駆動するレジストクラッチ１５２は、常に通常電力で作動させるので作動は安定しており、レジストローラ１５１により搬送される転写紙Ｓに転写のタイミングのズレを生じることはない。また、パルス駆動は前述のような条件とすることにより、パルス駆動されるクラッチ手段の動作が給紙性能に影響を与えることはない。
【００４１】
次に本実施例における給紙動作について、タイミングチャートを用い説明する。
【００４２】
図４は、本発明の実施例における給紙装置の給紙動作を示すタイミングチャートである。タイミングチャートに記載されている数字は、以下の動作の数字に対応する。
【００４３】
（１）ユーザのコピーボタン操作等に連動する給紙開始信号を受けて、制御手段１８１は捌きクラッチ１２２をＯＮする指令を発する。制御手段１８１は捌きクラッチ１２２以外のクラッチのクラッチの作動を確認し、同時作動させるクラッチがない場合は通常電力による作動、他のクラッチと同時作動であればパルス駆動で捌きクラッチ１２２を作動させる。コピー開始のようなタイミングでは他のクラッチを同時に作動させることはないので、捌きクラッチ１２２を通常電力で作動させる。
【００４４】
捌きクラッチ１２２のＯＮにより捌きローラ１２１が作動し、１枚目の転写紙Ｓを給紙カセット１１１から送り出す。また、ユーザのコピーボタン操作により、画像形成部２は原稿の読み込み、ドラムへの画像情報の書き込み、現像手段によるトナー像の形成等の一連の画像形成動作を開始する。
【００４５】
（２）転写紙Ｓが搬送され給紙センサ１７１へその先端が到達すると、給紙センサ１７１は転写紙Ｓの先端部を検知して、ＯＮ信号を発信する。
【００４６】
（３）制御手段１８１は、給紙センサ１７１のＯＮ信号を受けて、タイマで所定時間ｔ1後に給紙クラッチ１３２をＯＮする指令を発する。ここで、給紙クラッチ１３２は他のクラッチとは同時立ち上げではないので通常駆動でＯＮさせる。なお、ｔ1は、転写紙Ｓの先端が給紙センサ１７１を通過して給紙ローラ１３１に到達するまでの時間から、給紙クラッチ１３２の立ち上がり時間を差し引いた時間である。給紙クラッチ１３２のＯＮにより、給紙ローラ１３１およびループローラ１４１が作動を開始して、捌きローラ１２１により搬送されてくる転写紙Ｓをレジストローラ１５１へ向けて搬送する。
【００４７】
（４）制御手段１８１は、給紙センサ１７１のＯＮ信号を受けて、タイマで所定時間ｔ2後に捌きクラッチ１２２をＯＦＦする指令を発する。ここでｔ2は、給紙センサ１７１がＯＮしてから転写紙Ｓの後端が捌きローラ１２１を抜けるまでの時間である。捌きクラッチ１２２のＯＦＦにより捌きローラ１２１の作動が停止する。
【００４８】
（５）転写紙Ｓの先端がレジストセンサ１７２へ到達すると、レジストセンサ１７２は転写紙Ｓの先端部を検知して、ＯＮ信号を発信する。
【００４９】
（６）制御手段１８１は、レジストセンサ１７２のＯＮ信号を受けてタイマで所定時間ｔ3経過後に、給紙クラッチ１３２をＯＦＦする指令を発する。ここでｔ3は、ループローラ１４１により搬送される転写紙Ｓが、その先端がレジストセンサ１７２位置を通過してレジストローラ１５１へ当接し、レジストローラ１５１とループローラ１４１との間でループを形成するまでに必要な時間である。給紙クラッチＯＦＦにより給紙ローラ１３１およびループローラ１４１の作動が停止する。転写紙Ｓは、レジストローラ１５１とループローラ１４１の間でループを形成し停止する。
【００５０】
（７）制御手段１８１は、ドラム２１１上に形成されたトナー像を画像形成部２００にて位置ずれなく転写紙Ｓに転写するタイミングでレジストクラッチ１５２をＯＮする指令を発する。レジストクラッチ１５２は転写を位置ずれなく行うために常に通常電力で作動される。レジストクラッチＯＮによりレジストローラ１５１が作動し、レジストローラ１５１へ当接し停止していた転写紙Ｓを画像形成部２００に送り出す。
【００５１】
また、制御手段１８１は、レジストクラッチをＯＮさせると同時にＯＦＦ状態であった給紙クラッチ１３２を再びＯＮにする指令を発する。給紙クラッチ１３２はレジストクラッチ１５１と同時作動であるので、制御手段１８１は、レジストクラッチ１５１の上流側に位置する給紙クラッチ１３２をパルス駆動で作動させる。給紙クラッチＯＮにより給紙ローラ１３１およびループローラ１４１が再び作動し、転写紙Ｓをレジストローラ１５１へ向けて搬送する。レジストローラ１５１、ループローラ１４１、給紙ローラ１３１の作動により転写紙Ｓは円滑に画像形成部２００へ搬送される。この、給紙クラッチ１３２をパルス駆動させることにより給紙クラッチ１３２から発生する衝撃音を緩和し、レジストクラッチ１５２と同時にＯＮすしても騒音レベルを低減することを可能にしている。なお、レジストクラッチ１５２は通常電力で作動させているので、レジストローラ１５１の作動は乱れることなく、ドラム２１１上のトナー像を転写紙Ｓへの転写するにあたり、転写ズレ等の画像の乱れを発生させることがない。
【００５２】
（８）給紙が進行し、転写紙Ｓの後端が給紙センサ１７１位置を通過すると、給紙センサ１７１は転写紙Ｓを検知しなくなり、ＯＦＦ信号を発信する。
【００５３】
（９）制御手段１８１は、給紙センサ１７１のＯＦＦ信号を受けてタイマで所定時間ｔ4後に給紙クラッチ１３２をＯＦＦする指令を発する。ここでｔ4は、転写紙Ｓが給紙センサＯＦＦから給紙ローラ１３１を抜けるまでの時間である。給紙クラッチＯＦＦにより給紙ローラ１３１およびループローラ１４１の作動が停止する。
【００５４】
（１０）さらに給紙が進行し、転写紙Ｓの後端がレジストセンサ１７２位置を通過すると、レジストセンサ１７２は転写紙を検知しなくなり、ＯＦＦ信号を発信する。
【００５５】
（１１）制御手段１８１は、レジストセンサ１７２のＯＦＦ信号を受けてタイマで所定時間ｔ5後にレジストクラッチ１５２をＯＦＦする指令を発する。このｔ5の間に転写紙Ｓはレジストローラ１５１を通過し画像転写部２へ搬送され、転写紙Ｓの後端部側までトナー像が転写される。レジストクラッチ１５２のＯＦＦによりレジストローラ１５１の作動が停止し、転写紙１枚の給紙作動は終了する。コピーを１枚ずつ行う場合の給紙動作は、前記（１）〜（１１）の反復になる。
【００５６】
引き続き２枚目以降の画像形成を行う場合を説明する。
【００５７】
（１２）ユーザにより複数枚の画像形成が設定されているときには、制御手段１８１は、捌きクラッチ１２２を、前紙にて捌きクラッチ１２２をＯＮさせたときからタイマで所定時間ｔ6後にＯＮする指令を発する。ここで、ｔ6は、転写紙Ｓを一定の給紙間隔で給送制御するため、転写紙Ｓのサイズ、時間あたりのコピー枚数等により決定される時間である。制御手段１８１は捌きクラッチ１２２以外のクラッチと同時作動でなければ通常電力による作動、他のクラッチと同時作動であればパルス駆動で捌きクラッチ１２２を動作する。図示例では単独作動であり、通常電力で動作させている。捌きクラッチＯＮにより捌きローラ１２１が作動し、２枚目の転写紙Ｓをカセット１１１から送り出す。
【００５８】
（１３）２枚目の転写紙Ｓが搬送され給紙センサ１７１へ到達すると、給紙センサ１７１は転写紙Ｓの先端部を検知して、ＯＮ信号を発信する。
【００５９】
（１４）制御手段１８１は、給紙センサ１７１のＯＮ信号を受けて、捌きクラッチ１２２をＯＦＦする指令を発する。捌きクラッチ１２２のＯＦＦにより捌きローラ１２１が停止し、２枚目の転写紙Ｓのカセット１１１からの搬送が停止する。
【００６０】
（１５）制御手段１８１は、給紙センサ１７１がＯＮした後、タイマで所定時間ｔ7後に捌きクラッチ１２２および給紙クラッチ１３２をＯＮする指令を発する。ここでｔ7は、前紙との十分な間隔を確保させるための時間である。このとき、制御手段１８１は捌きクラッチ１２２と給紙クラッチ１３２とを同時に作動させることになるので、上流側に位置する捌きクラッチ１２２をパルス駆動で作動させる。捌きクラッチ１２２をパルス駆動することにより、捌きクラッチ１２２より発する衝撃音を軽減し、装置全体の騒音を軽減できる。また、下流側の給紙クラッチは通常電力で作動させるため給紙性能を低下させることはない。
【００６１】
以後、１枚目の転写紙の給紙動作説明で記した（５）〜（１１）の動作に対応する（１６）〜（２３）の動作が継続して行われ、２枚目の転写紙Ｓの給紙動作が行われる。コピー枚数が２枚以上になる場合は前記（１２）以降の動作が反復実行される。
【００６２】
また、コピー枚数が３枚以上の場合には（２２）の動作に引き続き（１２）〜（２３）の動作が反復、実行される。
【００６３】
なお上記の実施例は、捌きクラッチが給紙モータの駆動力を直接捌きローラに伝達する構成であるが、捌きクラッチが給紙クラッチを介して給紙モータに連結する構成もあり、そのような構成においても、各クラッチを所定時間パルス駆動する、あるいは複数のクラッチを同時に作動させるときには上流側のローラを駆動するクラッチを所定時間パルス駆動することにより目的は達せられる。
【図面の簡単な説明】
【００６４】
【図１】本発明の実施例における給紙装置と、転写紙搬送経路を示す概念図である。
【図２】本発明の実施例における給紙制御を示すブロック図である。
【図３】本発明の実施例におけるパルス駆動の波形を示す図である。
【図４】本発明の実施例における給紙装置の給紙動作を示すタイミングチャートである。
【符号の説明】
【００６５】
１００  給紙装置
１１１  給紙カセット
１２１  捌きローラ
１２２  捌きクラッチ
１３１  給紙ローラ
１３２  給紙クラッチ
１４１  ループローラ
１５１  レジストローラ
１５２  レジストクラッチ
１６１  給紙モータ
１７１  給紙センサ
１７２  レジストセンサ
１８１  制御手段
２００  画像形成部
２１１  感光体ドラム
【図１】
2005255354.tif 000003
【図２】
2005255354.tif 000004
【図３】
2005255354.tif 000005
【図４】
2005255354.tif 000006